(57)【要約】【課題】菌の発生や増殖を抑制することができる加湿装置を提供する。【解決手段】加湿装置１Ａは、水Ｗを貯める水槽１２Ａと、水槽１２Ａに貯められた水Ｗを振動させて霧Ｆを発生させる超音波振動子１３とを有した加湿部１０Ａと、加湿部１０Ａで発生された霧Ｆが送風される加湿風路１１Ａを備える。加湿装置１Ａは、水槽１２Ａに水を供給する給水機構１２ｓの給水口に給水ノズル１２ｓｗを備え、給水ノズル１２ｓｗから噴出される水流で、水槽１２Ａの内壁が洗浄される。【選択図】        図１
2008180470.tif 000002
【特許請求の範囲】
【請求項１】
水槽に貯められた水を超音波振動子により加振して霧を発生させる加湿手段と、
前記加湿手段を除菌する除菌手段と、
前記加湿手段で発生された霧が送風される加湿風路と、
前記加湿風路を送風される霧及び霧で加湿された空気が吹き出される加湿空気吹出口と
を備えたことを特徴とする加湿装置。
【請求項２】
前記除菌手段は、前記水槽を水流で洗浄する洗浄手段を備えた
ことを特徴とする請求項１記載の加湿装置。
【請求項３】
前記除菌手段は、前記水槽に金属イオンを含む水を供給する金属イオン供給手段を備えた
ことを特徴とする請求項１または２記載の加湿装置。
【請求項４】
前記除菌手段は、前記水槽に紫外線を照射する紫外線照射手段を備えた
ことを特徴とする請求項１，２または３記載の加湿装置。
【請求項５】
水が抜かれた前記水槽を乾燥させる乾燥手段を備えた
ことを特徴とする請求項１，２，３または４記載の加湿装置。
【請求項６】
前記加湿手段で発生されて前記加湿風路に拡散された霧を送風して、前記加湿空気吹出口から吹き出させる加湿空気送風手段を備えた
ことを特徴とする請求項１〜５に何れか記載の加湿装置。
【請求項７】
前記加湿空気送風手段で送風される空気に正イオンと負イオンの双方を供給するイオン発生手段を備えた
ことを特徴とする請求項６記載の加湿装置。
【請求項８】
室内吸込口から室内の空気を吸い込んで、室内吹出口から同室に吹き出すか外部吹出口へ吹き出す送風手段を有すると共に、前記送風手段で室内に吹き出す空気を加熱する加熱手段を有した空調装置と、
水槽に貯められた水を超音波振動子により加振して霧を発生させる加湿手段を有し、前記空調装置の前記外部吹出口と空気が通るダクトで接続された加湿風路に、前記加湿手段で発生された霧が拡散され、前記加湿風路に拡散された霧が、前記ダクトを介して前記空調装置から送られた空気で送風されて、加湿空気吹出口から霧及び霧で加湿された空気が室内に吹き出される加湿装置とを備え、
前記空調装置は、前記室内吹出口及び前記外部吹出口から吹き出される空気に正イオンと負イオンの双方を供給するイオン発生手段を備え、
前記加湿装置は、前記加湿手段を除菌する除菌手段を備えた
ことを特徴とする加湿空調システム。
【請求項９】
前記空調装置で前記加熱手段と前記送風手段が駆動されて温風が吹き出されると共に、前記加湿装置で前記加湿手段が駆動されて霧及び霧で加湿された空気が吹き出される加湿暖房運転が行われると、前記加湿装置で前記加湿手段の駆動が停止され、前記空調装置で前記加熱手段の駆動が停止されると共に、前記イオン発生手段が駆動されて正イオンと負イオンの双方が発生され、前記イオン発生手段で発生された正イオンと負イオンの双方が、前記送風手段で送風される空気で前記室内吹出口から室内に吹き出されると共に、前記ダクトを介して前記加湿装置に送風される
ことを特徴とする請求項８記載の加湿空調システム。
【発明の詳細な説明】
【技術分野】
【０００１】
本発明は、浴室やシャワー室等の室内を加湿する加湿装置、及びこの加湿装置を備えて室内を加湿暖房する加湿空調システムに関する。
【背景技術】
【０００２】
従来より、温水をミストとして浴室内に噴出し、浴室の加湿暖房を行うミスト装置が提案されている（例えば、特許文献１参照）。
【０００３】
このようなミスト装置は、単数もしくは複数のミストノズルを浴室の壁面等に設置して、給湯器から供給された温水をミストにして浴室内に噴出する構成である。
【０００４】
また、暖房機による温風の吹き出しと併用してミストを噴出することで、短時間で浴室の温度を上げられるようにしたミスト装置が提案されている（例えば、特許文献２参照）。
【０００５】
更に、加湿装置としては、超音波振動子により水を振動させ、微細化した水滴を発生させて空気を加湿する超音波加湿器が提案され、例えば、装置本体と室外機を備え、室外機に超音波加湿器を組み込んだ浴室乾燥機も提案されている（例えば、特許文献３参照）。
【０００６】
【特許文献１】特公平６−５９３０１号公報
【特許文献２】特開２００２−６１８６０号公報
【特許文献３】特許第３７５６０５５号公報
【発明の開示】
【発明が解決しようとする課題】
【０００７】
水を霧状のミストにして噴出し、加湿暖房を行う構成では、入浴者等が直接水滴を浴びることで体が濡れてしまい、発汗により体が濡れているのか、ミストにより体が濡れているのか判断しにくい状況になってしまい、加湿暖房を行っても、発汗を実感できない虞があった。
【０００８】
これに対して、超音波加湿器を利用すれば、直接水滴を浴び難くなって、加湿暖房による発汗は実感しやすくなる。また、超音波加湿器では、水槽に貯められた水を加熱することなく使用するため、高温の蒸気が吹き出されることがなく、安全性が高い。但し、菌の発生や増殖を抑制する構成が必要となる。
【０００９】
本発明は、このような課題を解決するためになされたもので、菌の発生や増殖を抑制することができる加湿装置及びこの加湿装置を備えた加湿空調システムを提供することを目的とする。
【課題を解決するための手段】
【００１０】
上述した課題を解決するため、本発明の加湿装置は、水槽に貯められた水を超音波振動子により加振して霧を発生させる加湿手段と、加湿手段を除菌する除菌手段と、加湿手段で発生された霧が送風される加湿風路と、加湿風路を送風される霧及び霧で加湿された空気が吹き出される加湿空気吹出口とを備えたことを特徴とする。
【００１１】
本発明の加湿装置では、菌の発生や増殖を抑制する除菌手段が備えられることで、霧を発生させる除菌手段が除菌されて、雑菌を含むような霧が室内に送風されることを防止または抑制することができる。
【００１２】
また、本発明の加湿空調システムは、室内吸込口から室内の空気を吸い込んで、室内吹出口から同室に吹き出すか外部吹出口へ吹き出す送風手段を有すると共に、送風手段で室内に吹き出す空気を加熱する加熱手段を有した空調装置と、水槽に貯められた水を超音波振動子により加振して霧を発生させる加湿手段を有し、空調装置の外部吹出口と空気が通るダクトで接続された加湿風路に、加湿手段で発生された霧が拡散され、加湿風路に拡散された霧が、ダクトを介して空調装置から送られた空気で送風されて、加湿空気吹出口から霧及び霧で加湿された空気が室内に吹き出される加湿装置とを備え、空調装置は、室内吹出口及び外部吹出口から吹き出される空気に正イオンと負イオンの双方を供給するイオン発生手段を備え、加湿装置は、加湿手段を除菌する除菌手段を備えたことを特徴とする。
【００１３】
本発明の加湿空調システムでは、菌の発生や増殖を抑制する除菌手段が加湿装置に備えられることで、霧を発生させる除菌手段が除菌されて、雑菌を含むような霧が室内に送風されることを防止または抑制することができる。
【００１４】
また、空調装置で室内及び加湿装置に送風される空気に正イオンと負イオンの双方を供給するイオン発生手段が備えられることで、加湿装置の機内と室内の双方が除菌される。
【発明の効果】
【００１５】
本発明の加湿装置によれば、菌の発生や増殖が抑制されて、機内を除菌することができる。また、本発明の加湿空調システムによれば、加湿装置と空調装置の連動で、加湿装置の機内と室内を除菌することができる。
【発明を実施するための最良の形態】
【００１６】
以下、図面を参照して本発明の加湿装置及び加湿空調システムの実施の形態について説明する。
【００１７】
＜第１の実施の形態の加湿装置の構成例＞
図１は、第１の実施の形態の加湿装置の一例を示す構成図である。第１の実施の形態の加湿装置１Ａは、霧Ｆを発生させる加湿部１０Ａと、加湿部１０Ａで発生させた霧Ｆが送風される加湿風路１１Ａとを備える。
【００１８】
加湿部１０Ａは加湿手段の一例で、水Ｗを貯める水槽１２Ａと、水槽１２Ａに貯められた水Ｗを振動させて霧Ｆを発生させる超音波振動子１３とを備える。
【００１９】
水槽１２Ａは、加湿風路１１Ａに面して上部に開口を有すると共に、底面に超音波振動子１３を備え、超音波振動子１３が駆動されると、水槽１２Ａに貯められた水Ｗが振動して表面から霧化し、水槽１２Ａの上部の加湿風路１１Ａに霧Ｆが拡散される。
【００２０】
加湿部１０Ａは、水槽１２Ａに給水を行う給水機構１２ｓと、水槽１２Ａの排水を行う排水機構１２ｅと、水槽１２Ａ内の水位を検知する水位センサ１２ｗとを備える。
【００２１】
給水機構１２ｓは、図示しない上水管と接続された給水配管１２ｓｐとつながる給水口を例えば水槽１２Ａの上部に備え、給水口に給水ノズル１２ｓｗを備える。また、給水機構１２ｓは、電磁弁等で構成され、水槽１２Ａへの水（上水）ＳＷの供給の有無を切り換える給水バルブ１２ｓｂを給水配管１２ｓｐに備える。
【００２２】
給水ノズル１２ｓｗは洗浄手段の一例で、給水バルブ１２ｓｂを開くと、給水ノズル１２ｓｗに水ＳＷが供給され、給水ノズル１２ｓｗから水ＳＷが噴出されて、水槽１２Ａ内が洗浄されると共に、水槽１２Ａに水ＳＷが供給される。
【００２３】
排水機構１２ｅは、図示しない排水管と接続された排水配管１２ｅｐとつながる排水口１２ｅｗを水槽１２Ａの底面に備える。また、排水機構１２ｅは、電磁弁等で構成され、排水ＥＷの排出の有無を切り換える排水バルブ１２ｅｂを排水配管１２ｅｐに備える。
【００２４】
これにより、排水機構１２ｅでは、排水バルブ１２ｅｂを閉じると、水槽１２Ａに水Ｗが貯められる。また、排水バルブ１２ｅｂを開くと、水槽１２Ａ内の水Ｗが排水される。
【００２５】
水位センサ１２ｗは、水槽１２Ａ内に水Ｗに浮くフロートを備え、水槽１２Ａに貯められた水Ｗの水位がフロートの位置で検知される。
【００２６】
加湿部１０Ａは、水槽１２Ａの側面または底面等にヒータ１２ｈを備える。ヒータ１２ｈは乾燥手段の一例で、水槽１２Ａ内の水Ｗを排水して空にし、ヒータ１２ｈが駆動されると、水槽１２Ａの内面が乾燥される。
【００２７】
加湿装置１Ａは、本体ケースの下面に取り付けられたフロントパネル１４に吹出口グリル１４ａを備える。吹出口グリル１４ａは加湿空気吹出口の一例で、加湿風路１１Ａとつながる吹出風路１１Ｓを通る空気が吹き出される。また、加湿装置１Ａは、加湿風路１１Ａとつながる吸込口１５を本体ケースの一の側面に備えると共に、吸込口１５に吸込ダクトジョイント１５ａを備える。更に、加湿装置１Ａは、加湿風路１１Ａとつながる排気風路１１Ｅを通る空気が排気される排気口１６を他の側面に備えると共に、排気口１６に排気ダクトジョイント１６ａを備える。
【００２８】
加湿装置１Ａは、風路を切り換える風路切換ダンパ１７を備える。風路切換ダンパ１７は風路切換手段の一例で、図示しないダンパモータに駆動され、軸１７ａを支点に回転する。
【００２９】
加湿装置１Ａは、風路切換ダンパ１７を実線で示す循環位置とすると、加湿風路１１Ａから吹出風路１１Ｓを通る風路が形成され、吸込口１５から供給された空気が吹出口グリル１４ａから吹き出される。
【００３０】
また、風路切換ダンパ１７を一点鎖線で示す換気位置とすると、加湿風路１１Ａから排気風路１１Ｅを通る風路が形成され、吸込口１５から供給された空気が排気口１６から排気される。
【００３１】
更に、風路切換ダンパ１７を破線で示す分流位置とすると、加湿風路１１Ａから吹出風路１１Ｓを通る風路と排気風路１１Ｅを通る風路の双方が形成され、吸込口１５から供給された空気の所定量が吹出口グリル１４ａから吹き出され、残部が排気口１６から排気される。
【００３２】
これにより、風路切換ダンパ１７を循環位置または分流位置として、超音波振動子１３が駆動されると、加湿風路１１Ａに拡散された霧Ｆが吸込口１５から供給された空気で送風され、吹出口グリル１４ａから霧Ｆ及び霧Ｆで加湿された空気（湿風）が吹き出される。
【００３３】
加湿装置１Ａは、吹出風路１１Ｓにドレンパン１８を備える。ドレンパン１８は水排出手段の一例で、吹出風路１１Ｓの内壁面から全周に亘って突出する上部が開口した溝部で構成され、吹出風路１１Ｓの内壁面を伝わって落ちる水滴を受ける。
【００３４】
また、ドレンパン１８は、排水配管１２ｅｐとつながるドレン口１８ａを備え、ドレンパン１８で受けた水をドレン口１８ａから排水できる構成である。
【００３５】
＜第２の実施の形態の加湿装置の構成例＞
図２は、第２の実施の形態の加湿装置の一例を示す構成図である。ここで、第２の実施の形態の加湿装置１Ｂにおいて、第１の実施の形態の加湿装置１Ａと同じ構成の部位については同じ番号を付して説明する。
【００３６】
第２の実施の形態の加湿装置１Ｂは、加湿部１０Ａを構成する水槽１２Ａに水を供給する給水機構１２ｓに銀イオンユニット１９Ａを備える。銀イオンユニット１９Ａは金属イオン供給手段の一例で、給水配管１２ｓｐに金属イオンの一例として銀イオン（Ａｇ+）を供給する。
【００３７】
ここで、金属イオンは、一対の電極を水に浸して電極間に電圧を印加することにより、陽極側の電極から溶出する。そこで、銀イオンユニット１９Ａとしては、給水配管１２ｓｐとつながって水の流入口と排出口を有し、絶縁材料から構成されるケースを備え、ケースの内部に２枚の板状電極を所定の間隔をおいて配置し、陽極を銀で構成する。
【００３８】
陽極が銀であると、電極間に電圧を印加することにより、Ａｇ→Ａｇ+＋ｅ-の反応が起こり、水中に銀イオンが溶出する。
【００３９】
これにより、銀イオンユニット１９Ａを駆動して給水バルブ１２ｓｂを開くと、給水ノズル１２ｓｗに銀イオンを含む水ＳＷが供給され、給水ノズル１２ｓｗから銀イオンを含む水ＳＷが噴出される。
【００４０】
銀イオンは、５ｐｐｂから１０ｐｐｂ程度の濃度で菌を死滅させたり不活化させて除去する殺菌効果を示し、人体に対しては無害であることが知られている。
【００４１】
よって、給水ノズル１２ｓｗから銀イオンを含む水ＳＷが噴出されると、水槽１２Ａ内が除菌されて、菌の発生や増殖が抑制される抗菌効果が得られると共に、銀イオンを含む水ＳＷが水槽１２Ａに供給されて貯水される。
【００４２】
また、超音波振動子１３が駆動されると、水槽１２Ａに貯められた銀イオンを含む水Ｗが振動して表面から霧化し、水槽１２Ａの上部の加湿風路１１Ａに銀イオンを含む霧Ｆが拡散される。
【００４３】
そして、風路切換ダンパ１７を循環位置または分流位置として、超音波振動子１３が駆動されることで、加湿風路１１Ａに拡散された銀イオンを含む霧Ｆが吸込口１５から供給された空気で送風され、フロントパネル１４の吹出口グリル１４ａから、銀イオンを含む霧Ｆ及び霧Ｆで加湿された空気が吹き出される。なお、金属イオンは銀イオンでなく、銅イオン（Ｃｕ2+）等の他の金属イオンであっても良い。
【００４４】
＜第３の実施の形態の加湿装置の構成例＞
図３は、第３の実施の形態の加湿装置の一例を示す構成図である。ここで、第３の実施の形態の加湿装置１Ｃにおいて、第１の実施の形態の加湿装置１Ａと同じ構成の部位については同じ番号を付して説明する。
【００４５】
第３の実施の形態の加湿装置１Ｃは、加湿部１０Ａを構成する水槽１２Ａに紫外線ランプ１９Ｕを備える。紫外線ランプ１９Ｕは紫外線照射手段の一例で、水槽１２Ａに水を貯めて紫外線ランプ１９Ｕが駆動されると、水槽１２Ａ内で紫外線（ＵＶ）が照射されて、水槽１２Ａ内が除菌される。
【００４６】
＜第１の実施の形態の加湿空調システムの構成例＞
図４は、第１の実施の形態の加湿空調システムの一例を示す構成図である。第１の実施の形態の加湿空調システム１００Ａは、上述した加湿装置１（１Ａ〜１Ｃ）と、浴室９１から吸い込んだ空気ＲＡを循環させて、温風ＨＡまたは送風を吹き出すと共に、浴室９１の換気を行う浴室空調装置２Ａを備え、加湿装置１と浴室空調装置２Ａが浴室９１の天井に設置される。
【００４７】
加湿空調システム１００Ａは、浴室空調装置２Ａに加湿装置１がダクト６１により接続され、浴室空調装置２Ａで吹き出す空気の一部が加湿装置１に送られて、加湿装置１から霧Ｆ及び霧Ｆで加湿された空気が吹き出されると共に、浴室空調装置２Ａから温風ＨＡが吹き出され、浴室９１の加湿暖房が行われる。
【００４８】
また、加湿空調システム１００Ａは、加湿装置１の図１乃至図３で説明した排気ダクトジョイント１６ａに排気ダクト６２が接続される。排気ダクト６２は、図示しない建物の外壁９２に取り付けた屋外グリル６２ａに接続されて、浴室空調装置２Ａで浴室９１等から吸い込んだ空気を、加湿装置１及び排気ダクト６２を介して屋外に排気できる構成となっている。
【００４９】
加湿空調システム１００Ａは、浴室９１に隣接した洗面脱衣所９３に設置された主操作部５で入浴者等の操作を受け、主操作部５で選択された運転モードが実行される。
【００５０】
すなわち、加湿空調システム１００Ａでは、主操作部５の所定の操作で、加湿装置１による霧Ｆの吹き出しと、浴室空調装置２Ａによる暖房運転とを連動させて、浴室９１の加湿暖房を行う加湿暖房運転モードが実行される。
【００５１】
そして、加湿空調システム１００Ａは、加湿暖房運転モードでは、図１に示す加湿装置１Ａで給水ノズル１２ｓｗから水を噴出させる動作、図２に示す加湿装置１Ｂで銀イオンユニット１９Ａにより銀イオンを供給する動作、または、図３に示す加湿装置１Ｃで紫外線ランプ１９Ｕにより紫外線を照射する動作を連動させて、加湿装置１内の洗浄や、加湿装置１及び浴室９１の除菌が行われる。
【００５２】
なお、加湿空調システム１００Ａでは、加湿暖房運転モード以外の運転モードとして、浴室空調装置２Ａで循環風により温風ＨＡを吹き出して、浴室空調装置２Ａ単体で浴室９１の暖房を行う暖房運転モードが実行される。
【００５３】
更に、加湿空調システム１００Ａでは、浴室空調装置２Ａで浴室９１内の空気を屋外に排出して、浴室９１の換気を行う換気運転モードと、所定時間で図示しない建物の空気が入れ替えられる風量で換気を行う２４時間換気運転モードが実行される。
【００５４】
また、浴室空調装置２Ａで循環風により温風ＨＡを吹き出しながら、浴室９１内の空気を屋外に排出して、浴室９１に干された衣類等の乾燥を行う乾燥運転モードが実行される。更に、浴室空調装置２Ａで循環風により送風を吹き出す涼風運転モードが実行される。
【００５５】
＜加湿空調システムを構成する浴室空調装置の構成例＞
図５は、第１の実施の形態の加湿空調システム１００Ａにおける浴室空調装置の一例を示す構成図であり、次に、加湿空調システム１００Ａを構成する浴室空調装置２Ａについて説明する。
【００５６】
浴室空調装置２Ａは空調装置の一例で、浴室暖房換気乾燥装置等と称され、図４に示す浴室９１から空気ＲＡを吸い込んで吹き出すファン部２０と、ファン部２０から吹き出される空気を浴室９１に吹き出すか、排気または加湿装置１に供給するかを切り替える風路切換部２１と、浴室９１へ吹き出す空気を加熱するヒータ２２とを備える。
【００５７】
ファン部２０は送風手段の一例で、回転駆動される多翼のファン２３と、ファン２３を回転駆動するファンモータ２３ａと、風路を形成するファンケース２４を備える。
【００５８】
浴室空調装置２Ａは、ファン２３の軸方向に沿ったファンケース２４の下面にファン吸込口２４ａを備え、ファンケース２４は、ファン２３が回転駆動されることでファン吸込口２４ａから吸い込んだ空気を、ファン２３の接線方向に吹き出す風路を形成する。
【００５９】
風路切換部２１は、風路を切り換えるダンパ２５を備える。ダンパ２５は、図示しないダンパモータの駆動力がカム２５ａを介して伝達され、軸２５ｂを支点に回転して開閉動作を行う。
【００６０】
浴室空調装置２Ａは、風路切換部２１の下方に吹出口２６ａを備えると共に、風路切換部２１の側方に外部吹出口を構成する排気口２６ｂを備え、ダンパ２５を図５（ａ）に示す循環位置とすると、排気口２６ｂへの風路が遮断され、ファン吸込口２４ａから吹出口２６ａへ連通した循環風路２１ａが形成される。
【００６１】
また、ダンパ２５を図５（ｂ）に示す換気位置とすると、吹出口２６ａへの風路が遮断され、ファン吸込口２４ａから排気口２６ｂへ連通した換気風路２１ｂが形成される。
【００６２】
更に、ダンパ２５を図５（ｃ）に示す分流位置とすると、ファン吸込口２４ａから吹出口２６ａへ連通した循環風路２１ａと、ファン吸込口２４ａから排気口２６ｂへ連通した換気風路２１ｂの双方が形成される。
【００６３】
ヒータ２２は加熱手段の一例で、吹出口２６ａにＰＴＣヒータ等の電気ヒータを備えて構成される。なお、吹出口２６ａに、風向を切り換える電動の吹出ルーバを備える構成としても良い。
【００６４】
浴室空調装置２Ａは、ヒータ２２の上流側にイオン発生器２８を備える。イオン発生器２８はイオン発生手段の一例で、ファンケース２４により形成される風路にイオン放出面が露出し、正イオンと負イオンの両方あるいは負イオンを発生する。
【００６５】
正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００６６】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００６７】
これにより、ファン部２０の運転と連動させて略同数の正イオンと負イオンを発生させ、略同数の正イオンと負イオンを含む空気を送風することで、循環する空気に含まれる浮遊細菌と図４に示す浴室９１の空気中の浮遊細菌の双方を除去して、カビの発生等を抑えることができる。
【００６８】
浴室空調装置２Ａは、下面にフロントパネル２７を備える。フロントパネル２７は、ファン吸込口２４ａとつながり室内吸込口を構成する吸込口グリル２７ａを備えると共に、吹出口２６ａとつながり室内吹出口を構成する吹出口グリル２７ｂを備える。また、フロントパネル２７は、吸込口グリル２７ａの裏側に図示しないフィルタが交換可能に取り付けられる。
【００６９】
浴室空調装置２Ａは、排気口２６ｂに排気ダクトジョイント２９ａを備え、浴室空調装置２Ａの排気ダクトジョイント２９ａと、図１乃至図３で説明した加湿装置１の吸込ダクトジョイント１５ａがダクト６１で接続される。
【００７０】
＜第１の実施の形態における加湿暖房運転モードの動作例＞
図６は、第１の実施の形態の加湿空調システムで実行される加湿暖房運転モードの動作例を示すフローチャートで、次に、加湿暖房運転モードの一例について各図を参照して説明する。
【００７１】
ステップＳＡ１：洗面脱衣所９３に設置されている主操作部５が操作され、加湿暖房運転モードが選択されると、浴室空調装置２Ａでは、ダンパ２５を分流位置とすると共に、ヒータ２２に通電して、ファン部２０を駆動する。
【００７２】
浴室空調装置２Ａは、ファンモータ２３ａによりファン２３が回転駆動されると、浴室９１の空気ＲＡが、フロントパネル２７の吸込口グリル２７ａからファン吸込口２４ａに吸い込まれる。
【００７３】
ダンパ２５の位置が図５（ｃ）に示す分流位置であると、ファン吸込口２４ａから吹出口２６ａへの循環風路２１ａと、ファン吸込口２４ａから排気口２６ｂへの換気風路２１ｂの双方が形成されるので、フロントパネル２７の吸込口グリル２７ａから吸い込まれた空気は、一部は循環風路２１ａを通って吹出口グリル２７ｂから浴室９１内に吹き出される。
【００７４】
ヒータ２２は、循環風路２１ａの吹出口２６ａに配置されるので、ヒータ２２が通電されることで、循環風路２１ａを通る空気が温められて、温風ＨＡが吹出口グリル２７ｂから吹き出される。これにより、浴室９１内に温風ＨＡが吹き出されて、浴室９１内が暖房される。
【００７５】
また、吸込口グリル２７ａから吸い込まれた空気の残部は、換気風路２１ｂを通って排気口２６ｂから排出され、浴室空調装置２Ａの排気口２６ｂから排出された空気は、ダクト６１を通り加湿装置１へ供給される。
【００７６】
ステップＳＡ２：加湿暖房運転モードが選択されると、加湿装置１では、給水バルブ１２ｓｂを開くと共に排水バルブ１２ｅｂを開く。給水バルブ１２ｓｂを開くと、給水ノズル１２ｓｗに水ＳＷが供給され、給水ノズル１２ｓｗから水ＳＷが噴出されて、流速を高めた水流が水槽１２Ａの壁面に衝突し、水槽１２Ａ内が洗浄される。また、排水バルブ１２ｅｂを開くと、水槽１２Ａ内を洗浄した水が排水される。ここで、給水ノズル１２ｓｗから供給される水量より、排水口１２ｅｗからの排水量が多くなるように構成され、水槽１２Ａ内を洗浄した水が水槽１２Ａ内に残らないようにしている。
【００７７】
ステップＳＡ３：加湿装置１で給水バルブ１２ｓｂを開くと共に排水バルブ１２ｅｂを開いて水槽１２Ａの洗浄を開始し、所定の洗浄時間、例えば１０秒が経過すると、給水バルブ１２ｓｂは開いた状態で、排水バルブ１２ｅｂを閉じる。これにより、給水ノズル１２ｓｗから供給された水Ｗが水槽１２Ａに貯められる。
【００７８】
ステップＳＡ４：給水バルブ１２ｓｂを開くと共に排水バルブ１２ｅｂを閉じて水槽１２Ａへの給水を開始すると、水位センサ１２ｗの出力から水槽１２Ａに貯められた水Ｗの水位が所定の位置まで達したか判断される。
【００７９】
ステップＳＡ５：水槽１２Ａに貯められた水Ｗの水位が所定の位置まで達したと判断されると、加湿装置１では、給水バルブ１２ｓｂを閉じる。また、風路切換ダンパ１７を図１等に実線で示す循環位置とすると共に、超音波振動子１３を駆動する。
【００８０】
加湿装置１では、超音波振動子１３が駆動されると、水槽１２Ａに貯水された水Ｗが振動して微細化され、水槽１２Ａの上部の加湿風路１１Ａへ霧Ｆが拡散される。
【００８１】
そして、浴室空調装置２Ａから供給されてダクト６１を通り吸込口１５から吹き出された空気で霧Ｆが送風され、フロントパネル１４の吹出口グリル１４ａから霧Ｆ及び霧Ｆで加湿された空気が吹き出される。
【００８２】
これにより、加湿暖房運転モードでは、浴室空調装置２Ａからは、浴室９１内の空気を循環させながら温風ＨＡが吹き出されると共に、加湿装置１からは、浴室空調装置２Ａから供給された空気によって霧Ｆ及び霧Ｆで加湿された空気が吹き出されて、浴室９１が加湿暖房される。
【００８３】
なお、加湿空調システム１００Ａでは、加湿装置１の水位センサ１２ｗの出力を監視し、水槽１２Ａ内の水が無くならないように、給水機構１２ｓで給水が行われる。
【００８４】
すなわち、水位センサ１２ｗの出力から、水槽１２Ａ内の水位が所定量まで下がったことを検知すると、給水バルブ１２ｓｂを開いて水槽１２Ａに給水する。そして、水位センサ１２ｗの出力から、水槽１２Ａ内の水位が所定量まで上がったことを検知すると、給水バルブ１２ｓｂを閉じる。
【００８５】
ここで、図２に示す銀イオンユニット１９Ａを備えた加湿装置１Ｂでは、上述したステップＳＡ２で給水バルブ１２ｓｂを開くと共に銀イオンユニット１９Ａを駆動することで、給水ノズル１２ｓｗから銀イオンを含む水ＳＷが噴出され、水槽１２Ａ内が水流により洗浄されると共に、銀イオンで除菌される。また、ステップＳＡ３で排水バルブ１２ｅｂを閉じると、銀イオンを含む水が水槽１２Ａに貯められる。
【００８６】
そして、ステップＳＡ５で超音波振動子１３が駆動されると、加湿風路１１Ａに銀イオンを含む霧Ｆが拡散され、浴室空調装置２Ａから供給された空気で送風されて、フロントパネル１４の吹出口グリル１４ａから、銀イオンを含む霧Ｆ及び霧Ｆで加湿された空気が吹き出される。
【００８７】
これにより、入浴中に加湿暖房を行いながら浴室９１内が除菌されると共に、除菌に伴って浴室９１内が消臭されて、一層快適な加湿された空間を得ることができる。
【００８８】
また、銀イオンを含む霧Ｆは、吹出風路１１Ｓを通ることで一部は凝結して水滴となるが、銀イオンを含む凝結水が吹出風路１１Ｓの壁面を伝わってドレンパン１８に回収されることで、吹出風路１１Ｓ等が除菌される。なお、水槽１２Ａを洗浄する間のみ、銀イオンユニット１９Ａを駆動するようにしても良い。
【００８９】
更に、図３に示す紫外線ランプ１９Ｕを備えた加湿装置１Ｃでは、水槽１２Ａ内に所定量の水Ｗが貯められて、上述したステップＳＡ５で給水バルブ１２ｓｂを閉じると、紫外線ランプ１９Ｕを駆動することで、紫外線ランプ１９Ｕが点灯して水槽１２Ａ内に紫外線が照射されて、水槽１２Ａ内が除菌される。
【００９０】
ステップＳＡ６：入浴者等の操作、または、所定の運転時間の経過等により、加湿暖房運転モードの停止が指示される。
【００９１】
ステップＳＡ７：加湿暖房運転モードの停止が指示されると、浴室空調装置２Ａでは、ヒータ２２の通電を停止すると共に、イオン発生器２８で略同数の正イオンと負イオンを発生させて、正負イオンの供給を伴う循環換気運転を開始する。
【００９２】
浴室空調装置２Ａでは、ダンパ２５が図５（ｃ）に示す分流位置で、ファンモータ２３ａによりファン２３が回転駆動されており、イオン発生器２８で正イオンと負イオンの双方が発生されると、浴室９１から吸い込んだ空気に略同数の正イオンと負イオンが供給され、フロントパネル２７の吹出口グリル２７ｂから浴室９１へと吹き出される。
【００９３】
このように、浴室９１内に略同数の正イオンと負イオンを含む空気を送風することで、循環する空気に含まれる浮遊細菌と浴室９１の空気中の浮遊細菌の双方を除去して、カビの発生等が抑制される。また、浴室空調装置２Ａの機内を正イオンと負イオンを含む空気が通ることで、浴室空調装置２Ａ内も除菌される。
【００９４】
ステップＳＡ８：浴室空調装置２Ａで正負イオンの供給を伴う循環換気運転が開始されると、加湿装置１では、超音波振動子１３の駆動を停止すると共に、風路切換ダンパ１７を図１等に破線で示す分流位置とする。また、給水バルブ１２ｓｂと排水バルブ１２ｅｂを開く。
【００９５】
浴室空調装置２Ａで正負イオンの供給を伴う循環換気運転が開始されると、浴室空調装置２Ａで生成された正イオンと負イオンを含む空気の一部は、ダクト６１を通り加湿装置１に供給される。
【００９６】
加湿装置１では、超音波振動子１３の駆動を停止することで、霧Ｆの発生が停止される。また、風路切換ダンパ１７を分流位置とすることで、浴室空調装置２Ａから供給された正イオンと負イオンを含む空気の一部が、加湿風路１１Ａから吹出風路１１Ｓを通り、フロントパネル１４の吹出口グリル１４ａから吹き出される。これにより、加湿装置１の機内が除菌される。
【００９７】
更に、浴室空調装置２Ａから供給された空気の残部は、加湿風路１１Ａから排気風路１１Ｅを通り、排気ダクト６２を介して屋外に排気される。これにより、浴室空調装置２Ａで浴室９１から吸い込まれた湿気等が屋外に排気され、浴室９１が換気される。
【００９８】
また、加湿装置１では、給水バルブ１２ｓｂを開くことで、給水ノズル１２ｓｗに水ＳＷが供給され、給水ノズル１２ｓｗから水ＳＷが噴出されて、水流で水槽１２Ａ内が洗浄される。更に、排水バルブ１２ｅｂを開くことで、水槽１２Ａ内を洗浄した水が排水される。上述したように、給水ノズル１２ｓｗから供給される水量より、排水口１２ｅｗからの排水量が多くなるように構成されており、水槽１２Ａ内の水Ｗを空にできるようになっている。
【００９９】
ここで、図２に示す銀イオンユニット１９Ａを備えた加湿装置１Ｂでは、浴室空調装置２Ａで正負イオンの供給を伴う循環換気運転が開始されると、銀イオンユニット１９Ａの駆動を継続して、上述したステップＳＡ８で給水バルブ１２ｓｂと排水バルブ１２ｅｂを開く。
【０１００】
これにより、水槽１２Ａ内の水Ｗを排水しながら、給水ノズル１２ｓｗから銀イオンを含む水ＳＷが噴出され、水槽１２Ａ内が水流により洗浄されると共に、銀イオンで除菌される。
【０１０１】
また、図３に示す紫外線ランプ１９Ｕを備えた加湿装置１Ｃでは、浴室空調装置２Ａで正負イオンの供給を伴う循環換気運転が開始されて、上述したステップＳＡ８で給水バルブ１２ｓｂと排水バルブ１２ｅｂを開くと、紫外線ランプ１９Ｕの駆動を停止して、水槽１２Ａが空になった状態では紫外線ランプ１９Ｕが点灯していないようにする。
【０１０２】
ステップＳＡ９：加湿装置１で給水バルブ１２ｓｂを開くと共に排水バルブ１２ｅｂを開いて水槽１２Ａの洗浄及び排水を開始し、所定の排水時間、例えば１０秒が経過すると、給水バルブ１２ｓｂと排水バルブ１２ｅｂを閉じる。ここで、所定の排水時間は、水槽１２Ａが空になるのに要する時間に設定され、水槽１２Ａが空になってから、給水バルブ１２ｓｂと排水バルブ１２ｅｂが閉じられる。なお、水位センサ１２ｗで水槽１２Ａ内の水位を検知して、水槽１２Ａが空になると、給水バルブ１２ｓｂと排水バルブ１２ｅｂを閉じるようにしても良い。
【０１０３】
ここで、図１等に示すように、水槽１２Ａにヒータ１２ｈを備えた加湿装置１Ａ等では、水槽１２Ａが空になると、ヒータ１２ｈを駆動して、水槽１２Ａを乾燥させる。
【０１０４】
ステップＳＡ１０：水槽１２Ａにヒータ１２ｈを備えた加湿装置１Ａ等では、ヒータ１２ｈの駆動を開始して、所定の乾燥時間、例えば５分が経過すると、ヒータ１２ｈの駆動を停止する。ここで、所定の乾燥時間は、水を抜いた水槽１２Ａ内の水分が乾燥するのに要する時間に設定され、水槽１２Ａが乾燥してから、ヒータ１２ｈの駆動が停止される。
【０１０５】
ステップＳＡ１１：浴室空調装置２Ａで正負イオンの供給を伴う循環換気運転を開始して、所定の換気時間、例えば３時間が経過すると、浴室空調装置２Ａでは、ファンモータ２３ａによるファン２３の回転駆動を停止すると共に、イオン発生器２８の駆動を停止し、正負イオンの供給を伴う循環換気運転が停止される。
【０１０６】
以上の動作で、加湿装置１では、水槽１２Ａの洗浄を行ってから、水Ｗが貯められて加湿暖房運転が行われるので、菌の発生及び菌の増殖を抑制することができる。また、銀イオンユニット１９Ａや紫外線ランプ１９Ｕ等を備えることで、水槽１２Ａ等の加湿装置１の機内や、浴室９１の除菌を行うことができるので、菌の発生及び菌の増殖を一層抑制することができる。
【０１０７】
更に、加湿暖房運転の終了後に、水槽１２Ａの洗浄や除菌を行ってから、水槽１２Ａを空にするので、加湿暖房運転の停止中の菌の発生及び菌の増殖を抑制することができる。
【０１０８】
また、加湿装置１に送風を行う浴室空調装置２Ａにイオン発生器２８を備えて、加湿暖房運転後に、正負イオンの供給を含む循環換気運転で、加湿装置１に正イオンと負イオンを略同数含む空気を送風することで、加湿装置１の機内でも浮遊細菌を除去することができる。
【０１０９】
＜加湿装置及び加湿空調システムの変形例＞
図７は、他の実施の形態の加湿装置の一例を示す構成図である。加湿装置１Ｄは、加湿部１０Ｂで発生させた霧Ｆを送風して吹き出させる送風ファン部３０を備える。
【０１１０】
加湿部１０Ｂは加湿手段の一例で、図１で説明した加湿部１０Ａと同等の構成を有し、水Ｗが貯められる水槽１２Ａと、水槽１２Ａに貯められた水Ｗを振動させる超音波振動子１３を備える。加湿部１０Ｂは、超音波振動子１３が駆動されると、水槽１２Ａに貯められた水Ｗが振動して表面から霧化し、水槽１２Ａの上部の加湿風路１１Ａに霧Ｆが拡散される。
【０１１１】
また、加湿部１０Ｂは、水槽１２Ａに給水を行う給水機構１２ｓと、水槽１２Ａの排水を行う排水機構１２ｅと、水槽１２Ａ内の水位を検知する水位センサ１２ｗとを備える。給水機構１２ｓは、給水口に給水ノズル１２ｓｗを備え、給水バルブ１２ｓｂを開くと、水ＳＷが水槽１２Ａに噴出されて、水流で水槽１２Ａ内の洗浄が可能である。
【０１１２】
送風ファン部３０は加湿空気送風手段の一例で、ファンモータ３０ａに回転駆動される多翼のファン３０ｂと、風路を形成するファンケース３１を備える。ファンケース３１は、ファン３０ｂが回転駆動されると、ファン３０ｂの軸方向に形成されたファン吸込口３１ａから空気を吸い込み、加湿風路１１Ａに吹き出す風路を形成する。
【０１１３】
これにより、ファンモータ３０ａによりファン３０ｂが回転駆動されると、ファン吸込口３１ａから吸い込まれた空気が加湿風路１１Ａに吹き出され、水槽１２Ａに貯められた水Ｗを超音波振１３で振動させることで発生させた霧Ｆが送風される。
【０１１４】
加湿装置１Ｄは、加湿風路１１Ａにイオン発生器３０ｉを備える。イオン発生器３０ｉはイオン発生手段の一例で、加湿風路１１Ａに図示しないイオン放出面を露出させて取り付けられ、正イオンと負イオンを発生させる。
【０１１５】
また、加湿装置１Ｄは、下面にフロントパネル３２を備える。フロントパネル３２は、送風ファン部３０のファン吸込口３１ａとつながる吸込口グリル３２ａと、加湿風路１１Ａとつながる吹出口グリル３２ｂを備える。
【０１１６】
これにより、加湿装置１Ｄは、加湿部１０Ｂと送風ファン部３０が駆動されると、吸込口グリル３２ａから空気が吸い込まれ、加湿風路１１Ａに発生させた霧Ｆが、吸込口グリル３２ａから吸い込まれた空気で送風されて、吹出口グリル３２ｂから吹き出される。
【０１１７】
なお、加湿装置１Ｄには、図１で説明したようなヒータ１２ｈを水槽１２Ａに備えても良い。また、図２で説明したような銀イオン発生ユニット１９Ａを、給水機構１２ｓを構成する給水パイプ１２ｓｐに備えても良い。あるいは、図３で説明したような紫外線ランプ１９Ｕを、水槽１２Ａに備えても良い。
【０１１８】
図８は、第２の実施の形態の加湿空調システムの一例を示す構成図である。図７で説明した加湿装置１Ｄでは、加湿部１０Ｂで発生させた霧Ｆを送風する送風ファン部３０を備えることで、浴室空調装置等による送風は不要となる。このため、加湿装置１Ｄを備えた第２の実施の形態の加湿空調システム１００Ｂでは、浴室９１から吸い込んだ空気ＲＡを循環させて、温風ＨＡまたは送風を吹き出すファン部と、浴室９１の換気を行うファン部が独立した浴室空調装置２Ｂを備えても良い。
【０１１９】
図９は、他の実施の形態の浴室空調装置の一例を示す構成図である。浴室空調装置２Ｂは空調装置の一例で、空気を吸い込んで循環させる循環ファン部３３ａと、空気を吸い込んで排気する換気ファン部３３ｂとを備える。
【０１２０】
循環ファン部３３ａは循環送風手段の一例で、回転軸の向きを鉛直方向とした多翼のファン３４と、ファン３４を回転駆動する循環ファンモータ３５と、風路を形成する循環ファンケース３６を備える。
【０１２１】
循環ファンケース３６は、ファン３４の軸方向に沿った下面が開口して循環ファン吸込口３７が形成される。また、循環ファンケース３６は、ファン３４の接線方向に沿って吹出風路３８が形成され、吹出風路３８と連通した下面が開口して循環ファン吹出口３９が形成される。
【０１２２】
循環ファン部３３ａでは、循環ファンモータ３５によってファン３４が回転駆動されると、循環ファン吸込口３７から空気が吸い込まれ、循環ファン吸込口３７から吸い込まれた空気は、吹出風路３８を通って循環ファン吹出口３９から吹き出される。
【０１２３】
浴室空調装置２Ｂは、循環ファン部３３ａにヒータ４０ｈを備える。ヒータ４０ｈは加熱手段の一例で、例えばＰＴＣヒータが用いられ、循環ファン吹出口３９の近傍の吹出風路３８に取り付けられる。これにより、ファン３４を回転駆動すると共にヒータ４０ｈに通電すると、吹出風路３８を通る空気がヒータ４０ｈによって加熱されて、循環ファン吹出口３９から温風ＨＡが吹き出す。
【０１２４】
また、浴室空調装置２Ｂは、循環ファン部３３ａにイオン発生器４０ｉを備える。イオン発生器４０ｉはイオン発生手段の一例で、ヒータ４０ｈより上流側の吹出風路３８に、図示しないイオン放出面を露出させて取り付けられ、正イオンと負イオンを発生させる。
【０１２５】
換気ファン部３３ｂは換気手段の一例で、回転軸の向きを鉛直方向とした多翼のファン４１と、ファン４１を回転駆動する換気ファンモータ４２と、風路を形成する換気ファンケース４３を備える。
【０１２６】
換気ファンケース４３は、ファン４１の軸方向に沿った下面が開口して換気ファン吸込口４４が形成される。また、換気ファンケース４３は、ファン４１の接線方向に沿って排気風路４５が形成され、排気風路４５と連通した一の側面が開口して排気口４６が形成される。
【０１２７】
浴室空調装置２Ｂは、循環ファン部３３ａと換気ファン部３３ｂを収容する本体ケース４７を備える。本体ケース４７は、鉄等の金属で構成され、循環ファン部３３ａの上側に換気ファン部３３ｂが重なる形態で、循環ファン部３３ａと換気ファン部３３ｂが取り付けられる。
【０１２８】
浴室空調装置２Ｂは、本体ケース４７の一の側面に、換気ファン部３３ｂの排気口４６と連通した排気ダクトジョイント４８ａが取り付けられる。排気ダクトジョイント４８ａには、図８に示す排気ダクト６３が接続され、排気ダクト６３が建物の外壁９２に取り付けられた屋外グリル６３ａに接続されて、浴室空調装置２Ｂは、浴室９１から吸い込んだ空気を屋外に排気できる構成となっている。
【０１２９】
また、浴室空調装置２Ｂは、排気口４６の形成面以外の本体ケース４７の他の側面に１個または２個の副吸込口４７ａが形成され、副吸込口４７ａに副吸込ダクトジョイント４８ｂが取り付けられる。
【０１３０】
副吸込ダクトダクトジョイント４８ｂには、図８に示す副吸込ダクト６４が接続され、副吸込ダクト６４が洗面脱衣所９３や図示しないトイレ等の他室に設置された副吸込口グリル６４ａに接続されて、浴室空調装置２Ｂは、洗面脱衣所９３等の他室から空気を吸い込める構成となっている。
【０１３１】
更に、浴室空調装置２Ｂは、本体ケース４７内で循環ファン部３３ａの上側に、循環ファン部３３ａの吹出風路３８とは独立して、副吸込口４７ａと換気ファン吸込口４４を連通させた副吸込風路４９が形成される。
【０１３２】
浴室空調装置２Ｂは、換気ファン部３３ｂの下側に換気吸込風路形成部材５０が取り付けられる。換気吸込風路形成部材５０は、本体ケース４７の下面側に開口を有して換気吸込口５０ａが形成され、換気吸込口５０ａと換気ファン吸込口４４が連通される。
【０１３３】
浴室空調装置２Ｂは、換気吸込口５０ａを開閉する風路開閉ダンパ５１を備える。風路開閉ダンパ５１は、ダンパモータ５１ａに駆動されて換気吸込口５０ａを開閉し、風路開閉ダンパ５１で換気吸込口５０ａを閉じると、換気吸込口５０ａからの空気の吸い込みが停止される。
【０１３４】
浴室空調装置２Ｂは、本体ケース４７の下面にフロントパネル５２を備える。フロントパネル５２は、循環ファン部３３ａの循環ファン吸込口３７及び換気ファン部３３ｂと連通した換気吸込口５０ａと対向して吸込グリル５２ａが形成される。また、フロントパネル５２は、循環ファン部３３ａの循環ファン吹出口３９と対向して吹出グリル５２ｂが形成される。なお、浴室空調装置２Ｂは、吹出グリル５２ｂに面して循環ファン吹出口３９に電動ルーバを備えても良い。
【０１３５】
次に、加湿装置１Ｄと浴室空調装置２Ｂを備えた加湿空調システム１００Ｂにおける加湿暖房運転モードの動作例について説明する。
【０１３６】
洗面脱衣所９３に設置されている主操作部５が操作され、加湿暖房運転モードが選択されると、浴室空調装置２Ｂでは、ダンパモータ５１ａを駆動して風路開閉ダンパ５１を閉じると共に、循環ファンモータ３５を駆動し、かつヒータ４０ｈに通電して、浴室９１の暖房運転を行う。
【０１３７】
すなわち、循環ファンモータ３５が駆動されると、循環ファン部３３ａのファン３４が回転することで、フロントパネル５２の吸込グリル５２ａから浴室９１内の空気が循環ファン部３３ａに吸い込まれる。
【０１３８】
ヒータ４０ｈが通電されると、循環ファン部３３ａを通る空気が加熱され、フロントパネル５２の吹出グリル５２ｂから温風ＨＡが吹き出されて、浴室９１内が暖房される。
【０１３９】
加湿暖房運転モードが選択されると、加湿装置１Ｄでは、給水バルブ１２ｓｂを開くと共に排水バルブ１２ｅｂを開く。給水バルブ１２ｓｂを開くと、給水ノズル１２ｓｗに水ＳＷが供給され、給水ノズル１２ｓｗから水ＳＷが噴出されて、水流で水槽１２Ａ内が洗浄される。また、排水バルブ１２ｅｂを開くと、水槽１２Ａ内を洗浄した水が排水される。
【０１４０】
加湿装置１Ｄで給水バルブ１２ｓｂを開くと共に排水バルブ１２ｅｂを開いて水槽１２Ａの洗浄を開始し、所定の洗浄時間、例えば１０秒が経過すると、給水バルブ１２ｓｂは開いた状態で、排水バルブ１２ｅｂを閉じる。これにより、給水ノズル１２ｓｗから供給された水Ｗが水槽１２Ａに貯められる。
【０１４１】
給水バルブ１２ｓｂを開くと共に排水バルブ１２ｅｂを閉じて水槽１２Ａへの給水を開始すると、水位センサ１２ｗの出力から水槽１２Ａに貯められた水Ｗの水位が所定の位置まで達したか判断される。
【０１４２】
水槽１２Ａに貯められた水Ｗの水位が所定の位置まで達したと判断されると、加湿装置１Ｄでは、給水バルブ１２ｓｂを閉じる。また、加湿部１０Ｂの超音波振動子１３を駆動すると共に、送風ファン部３０のファンモータ３０ａを駆動する。
【０１４３】
これにより、水槽１２Ａに貯められた水Ｗを振動させて発生させた霧Ｆが、ファン３０ｂが回転駆動されることで吸込口グリル３２ａから吸い込まれて循環される浴室９１の空気ＲＡに送風されて、加湿装置１Ｄでは、フロントパネル３２の吹出口グリル３２ｂから霧Ｆ及び霧Ｆで加湿された空気が吹き出される。
【０１４４】
これにより、加湿暖房運転モードでは、浴室空調装置２Ｂからは、浴室９１内の空気を循環させながら温風ＨＡが吹き出されると共に、加湿装置１Ｄからは、送風ファン部３０で送風される空気によって霧Ｆ及び霧Ｆで加湿された空気が吹き出されて、浴室９１が加湿暖房される。
【０１４５】
なお、加湿空調システム１００Ｂでも、加湿装置１Ｄの水位センサ１２ｗの出力を監視し、水槽１２Ａ内の水が無くならないように、給水機構１２ｓで給水が行われる。
【０１４６】
ここで、加湿装置１Ｄに図２に示す銀イオンユニット１９Ａを備えた構成では、給水バルブ１２ｓｂを開けて給水ノズル１２ｓｗから水ＳＷを噴出して水槽１２Ａの洗浄を行う際に、銀イオンユニット１９Ａを駆動することで、給水ノズル１２ｓｗから銀イオンを含む水ＳＷが噴出され、水槽１２Ａ内が水流により洗浄されると共に、銀イオンで除菌される。また、排水バルブ１２ｅｂを閉じると、銀イオンを含む水が水槽１２Ａに貯められる。
【０１４７】
そして、超音波振動子１３が駆動されると共に送風ファン部３０が駆動されると、加湿風路１１Ａに銀イオンを含む霧Ｆが拡散され、送風ファン部３０で循環させる空気の流れで送風されて、フロントパネル３２の吹出口グリル３２ｂから、銀イオンを含む霧Ｆ及び霧Ｆで加湿された空気が吹き出される。
【０１４８】
これにより、入浴中に加湿暖房を行いながら浴室９１内が除菌されると共に、除菌に伴って浴室９１内が消臭されて、一層快適な加湿された空間を得ることができる。
【０１４９】
また、銀イオンを含む霧Ｆは、加湿風路１１Ａを通ることで一部は凝結して水滴となるが、銀イオンを含む凝結水が加湿風路１１Ａの壁面を伝わってドレンパン１８に回収されることで、加湿風路１１Ａ等が除菌される。
【０１５０】
更に、加湿装置１Ｄに図３に示す紫外線ランプ１９Ｕを備えた構成では、水槽１２Ａ内に所定量の水Ｗが貯められて、給水バルブ１２ｓｂを閉じると、紫外線ランプ１９Ｕを駆動することで、紫外線ランプ１９Ｕが点灯して水槽１２Ａ内に紫外線が照射されて、水槽１２Ａ内が除菌される。
【０１５１】
加湿暖房運転モードの停止が指示されると、浴室空調装置２Ｂでは、ダンパモータ５１ａを駆動して風路開閉ダンパ５１を開けて所定の開度にし、換気ファンモータ４２を駆動する。また、ヒータ４０ｈの通電は停止して循環ファンモータ３５の駆動は継続し、イオン発生器４０ｉで略同数の正イオンと負イオンを発生させて、正負イオンの供給を伴う循環換気運転を開始する。
【０１５２】
すなわち、換気ファンモータ４２が駆動されると、換気ファン部３３ｂのファン４１が回転することで、フロントパネル５２の吸込グリル５２ａから浴室９１内の空気が換気ファン部３３ｂに吸い込まれ、排気ダクト６３から屋外グリル６３ａを介して屋外へ排気される。また、副吸込口グリル６４ａから洗面脱衣所９３等の空気が吸い込まれ、屋外グリル６３ａを介して屋外へ排気される。
【０１５３】
更に、循環ファンモータ３５の駆動は継続してイオン発生器４０ｉで正イオンと負イオンの双方を発生させると、浴室９１から吸い込んだ空気に略同数の正イオンと負イオンが供給され、フロントパネル５２の吹出グリル５２ｂから浴室９１へと送風される。
【０１５４】
このように、浴室９１内に略同数の正イオンと負イオンを含む空気を送風することで、循環する空気に含まれる浮遊細菌と浴室９１の空気中の浮遊細菌の双方を除去して、カビの発生等を抑えることができる。
【０１５５】
加湿暖房運転モードの停止が指示されると、加湿装置１Ｄでは、超音波振動子１３の駆動は停止すると共に、ファンモータ３０ａの駆動は継続して、イオン発生器３０ｉで略同数の正イオンと負イオンを発生させる。また、給水バルブ１２ｓｂと排水バルブ１２ｅｂを開く。
【０１５６】
加湿装置１Ｄでは、超音波振動子１３の駆動を停止することで、霧Ｆの発生が停止される。また、ファンモータ３０ａの駆動は継続してイオン発生器３０ｉで正イオンと負イオンの双方を発生させると、正イオンと負イオンを含む空気が加湿風路１１Ａを通り、フロントパネル３２の吹出口グリル３２ｂから吹き出される。これにより、加湿装置１Ｄの機内が除菌される。
【０１５７】
更に、加湿装置１Ｄでは、給水バルブ１２ｓｂを開くことで、給水ノズル１２ｓｗに水ＳＷが供給され、給水ノズル１２ｓｗから水ＳＷが噴出されて、水流で水槽１２Ａ内が洗浄される。更に、排水バルブ１２ｅｂを開くことで、水槽１２Ａ内を洗浄した水が排水される。
【０１５８】
ここで、加湿装置１Ｄに銀イオンユニット１９Ａを備えた構成では、加湿暖房運転モードの停止が指示されると、銀イオンユニット１９Ａの駆動を継続して、給水バルブ１２ｓｂと排水バルブ１２ｅｂを開く。
【０１５９】
これにより、水槽１２Ａ内の水Ｗを排水しながら、給水ノズル１２ｓｗから銀イオンを含む水ＳＷが噴出され、水槽１２Ａ内が水流により洗浄されると共に、銀イオンで除菌される。
【０１６０】
加湿装置１Ｄで給水バルブ１２ｓｂを開くと共に排水バルブ１２ｅｂを開いて水槽１２Ａの洗浄及び排水を開始し、水槽１２Ａが空になるのに要する所定の排水時間、例えば１０秒が経過すると、給水バルブ１２ｓｂと排水バルブ１２ｅｂを閉じる。
【０１６１】
また、ファンモータ３０ａの駆動を停止すると共に、イオン発生器３０ｉでのイオンの発生を停止する。
【０１６２】
ここで、水槽１２Ａにヒータ１２ｈを備えた構成では、水槽１２Ａが空になると、所定時間ヒータ１２ｈを駆動して、水槽１２Ａを乾燥させる。
【０１６３】
そして、浴室空調装置２Ｂで正負イオンの供給を伴う循環換気運転を開始して、所定の換気時間、例えば３時間が経過すると、浴室空調装置２Ｂでは、ファンモータ４３ａによるファン４３の回転駆動を停止すると共に、イオン発生器４０ｉの駆動を停止し、正負イオンの供給を伴う循環換気運転が停止される。
【産業上の利用可能性】
【０１６４】
本発明は、浴室やシャワー室等の加湿暖房を行う空調システムに適用される。
【図面の簡単な説明】
【０１６５】
【図１】第１の実施の形態の加湿装置の一例を示す構成図である。
【図２】第２の実施の形態の加湿装置の一例を示す構成図である。
【図３】第３の実施の形態の加湿装置の一例を示す構成図である。
【図４】第１の実施の形態の加湿空調システムの一例を示す構成図である。
【図５】第１の実施の形態における浴室空調装置の一例を示す構成図である。
【図６】第１の実施の形態における加湿暖房運転モードの動作例を示すフローチャートである。
【図７】他の実施の形態の加湿装置の一例を示す構成図である。
【図８】第２の実施の形態の加湿空調システムの一例を示す構成図である。
【図９】他の実施の形態の浴室空調装置の一例を示す構成図である。
【符号の説明】
【０１６６】
１Ａ，１Ｂ，１Ｃ，１Ｄ・・・加湿装置、２Ａ，２Ｂ・・・浴室空調装置、１０Ａ，１０Ｂ・・・加湿部、１１Ａ・・・加湿風路、１２Ａ・・・水槽、１３・・・超音波振動子、１２ｓｗ・・・給水ノズル、１２ｈ・・・ヒータ、１４・・・フロントパネル、１４ａ・・・吹出口グリル、１５・・・吸込口、１９Ａ・・・銀イオンユニット、１９Ｕ・・・紫外線ランプ、２０・・・ファン部、２２・・・ヒータ、２８・・・イオン発生器、９１・・・浴室、１００Ａ，１００Ｂ・・・加湿空調システム
【図１】
2008180470.tif 000003
【図２】
2008180470.tif 000004
【図３】
2008180470.tif 000005
【図４】
2008180470.tif 000006
【図５】
2008180470.tif 000007
【図６】
2008180470.tif 000008
【図７】
2008180470.tif 000009
【図８】
2008180470.tif 000010
【図９】
2008180470.tif 000011